(57)【要約】【課題】電子署名及びタイムスタンプが付属された電子証明書の発行に関する費用を確実に低減できる電子認証システムを提供する。【解決手段】画像形成装置１０のユーザが選択した電子文書が、電子メールに添付されて画像形成装置１０から承認者が使用する端末装置３０に送られる。承認者は、電子メールに添付される電子文書を端末装置３０を通じて閲覧し、この電子文書に対して電子証明書の発行を認証局５０に申請するべきか否かを判断する。続いて、承認者がこの判断結果を画像形成装置１０のユーザに対して電子メールで返信すると、表示部１４に承認者が電子証明書の発行の申請を承認したことを示す内容のメッセージが表示される。その後、画像形成装置１０において、ユーザＩＤとユーザの公開鍵とユーザの電子署名とが記載された電子申請書が作成されるとともに、認証局５０の公開鍵で暗号化された電子申請書が画像形成装置１０から認証局５０に送信される。【選択図】図１
2006261729.tif 000002
【特許請求の範囲】
【請求項１】
任意の電子文書に対して電子署名及びタイムスタンプが付属された電子証明書を発行する認証局と、前記認証局との間でデータの送受信を行う通信装置と、を備え、前記通信装置から前記認証局に前記電子証明書発行の申請が行われることによって前記認証局が申請内容に基づく前記電子証明書を発行する電子認証システムにおいて、
前記認証局への前記電子証明書の発行の申請を承認するか否かが前記電子文書の内容に基づき判断されるとともに、
前記電子文書の内容に基づき前記認証局への前記電子証明書の発行の申請が承認されたときに、前記電子証明書の発行の申請が前記通信装置から前記認証局に行われ、前記認証局が申請内容に基づく前記電子証明書を発行することを特徴とする電子認証システム。
【請求項２】
前記認証局が、前記電子証明書の発行の申請内容に基づき前記電子証明書の発行を許可するか否かを判断し、前記電子証明書の発行を許可するものと判定したときにだけ前記電子証明書を前記通信装置に送信するとともに、
前記通信装置が、前記認証局が発行した前記電子証明書を受信するごとに第１の所定回数だけ計数するカウンタを備えることを特徴とする請求項１に記載の電子認証システム。
【請求項３】
前記カウンタの計数値に応じた料金を課金する課金用サーバを備えることを特徴とする請求項２に記載の電子認証システム。
【請求項４】
前記電子文書の内容に基づいて前記認証局への前記電子証明書の発行の申請を承認するか否かの判断を行う承認者によって使用されるとともに前記通信装置との間でデータの送受信を行う端末装置を備え、
前記端末装置は、前記通信装置で作成された電子文書を受信すると、前記承認者に閲覧させるために前記通信装置から送信された前記電子文書の内容を表示した後、表示された前記電子文書の内容を閲覧した前記承認者による操作に基づいて前記認証局への前記電子証明書の発行の申請が承認されたか否かを確認し、
前記承認者によって前記認証局への前記電子証明書の発行の申請を承認する操作がなされたことを前記端末装置が確認したときに、前記端末装置から前記通信装置に前記認証局への前記電子証明書の発行の申請を許可する旨の指示がなされることによって、前記通信装置から前記認証局へ前記電子証明書の発行の申請が行われることを特徴とする請求項１〜請求項３の何れかに記載の電子認証システム。
【請求項５】
前記通信装置が、メールの送受信を行うメール機能とプリンタ機能とＦＡＸ機能のうちの少なくとも１つの機能を通常機能として有する画像形成装置を構成するとともに、
前記画像形成装置が、前記端末装置より送信された前記認証局への前記電子証明書の発行の申請を承認するか否かの判定結果をメール機能を用いたメール、プリンタ機能を用いたプリント出力、或いは、ＦＡＸ機能を用いたＦＡＸ出力により通知する承認結果通知機能を備えることを特徴とする請求項４に記載の電子認証システム。
【請求項６】
前記画像形成装置が、前記認証局による前記電子証明書の発行を許可するか否かの判定結果をメール機能を用いたメール、プリンタ機能を用いたプリント出力、或いは、ＦＡＸ機能を用いたＦＡＸ出力により通知する発行結果通知機能を備えることを特徴とする請求項５に記載の電子認証システム。
【請求項７】
前記カウンタは、前記画像形成装置のプリンタ機能またはＦＡＸ機能が使用されるごとに第２の所定回数だけ計数することを特徴とする請求項５または請求項６に記載の電子認証システム。
【請求項８】
前記画像形成装置は、原稿の画像をスキャンすることによって前記電子文書を作成可能なスキャナ機能を有しており、
前記カウンタは、前記画像形成装置のスキャナ機能が使用されるごとに第３の所定回数だけ計数することを特徴とする請求項５〜請求項７の何れかに記載の電子認証システム。
【請求項９】
プリンタ機能とＦＡＸ機能とスキャナ機能のうちの少なくとも１つの機能を通常機能として備えるとともに、前記通常機能が使用されるごとに所定回数だけ計数するカウンタと任意の電子文書に対して電子署名及びタイムスタンプが付属された電子証明書を発行する認証局との間でデータの送受信を行う送受信部とを備える画像形成装置において、
前記認証局が発行した前記電子証明書を前記送受信部が受信するごとに前記カウンタが所定回数だけ計数するとともに、
前記認証局が発行した前記電子証明書を前記送受信部が受信したときに前記カウンタが計数する所定回数と前記通常機能が使用されたときに前記カウンタが計数する所定回数とが、前記認証局が発行する前記電子証明書の発行手数料と前記通常機能の使用料との比に応じて設定されることを特徴とする画像形成装置。
【請求項１０】
請求項７または請求項８に記載の電子認証システムにおける画像形成装置であることを特徴とする請求項９に記載の画像形成装置。
【発明の詳細な説明】
【技術分野】
【０００１】
本発明は、プリンタ機能、ＦＡＸ機能、或いは、スキャナ機能などを備える画像形成装置及び請求書や領収書などの電子文書に対して電子署名及びタイムスタンプが付属された電子証明書を発行することで電子文書の認証を行う電子認証システムに関する。
【背景技術】
【０００２】
従来より、第三者が電子文書の送信者を偽る「なりすまし」や第三者が電子文書の内容を書き換える「改ざん」などを防ぐために、電子文書を暗号化する技術が知られている。そして、請求書や領収書などの電子文書に対し電子署名及びタイムスタンプが付属された電子証明書を発行することによって、「なりすまし」や「改ざん」などを防いで電子文書の原本性を証明することができる。また、電子文書の送信者が受信者に対して電子文書を送信したことを否認する行為や電子文書の受信者が送信者に対して電子文書を受信したことを否認する行為によるトラブルを防止するために、電子証明書の発行は、電子文書の送信者及び受信者以外の第三者となる認証局によって行われる。
【０００３】
また、認証局が電子署名及びタイムスタンプが付属された電子証明書を発行するとき、電子証明書の発行数に応じた発行手数料が認証局から電子証明書の発行を申請する者（即ち、電子文書の送信者）に対して課金される。
【０００４】
このように、電子証明書の発行数に応じた手数料を課金するシステムとして、第三者である電子公証センターが電子データに対して発行する電子証明書を用いて電子データの公証を行うための電子公証システムが提案されている（特許文献１参照）。
【０００５】
この電子公証システムでは、電子公証センターの受付手段がユーザから送られてきた電子データを受信すると、電子公証センターの演算手段において受信した電子データから一方向関数値を生成し、生成された一方向関数値を電子公証センターのタイムスタンプサーバに送信する。タイムスタンプサーバは、セシウム原子時計を備える時刻校正センターによって定期的に時刻を校正されるとともに、受信した一方向関数値にタイムスタンプ情報を付加して電子証明書を作成する。そして、電子公証センターは、タイムスタンプサーバが作成した電子証明書をユーザに送信する。また、時刻校正センターは、タイムスタンプサーバを利用する電子公証センターに対し、電子公証センターが発行した電子証明書の数に応じた使用料を課金する。
【特許文献１】特開２００３−１９６４１４号公報
【発明の開示】
【発明が解決しようとする課題】
【０００６】
上述のように、ユーザが電子公証センターに電子署名及びタイムスタンプが付属された電子証明書の発行を要求するとき、電子証明書の発行数に応じた手数料が時刻校正センターから電子公証センターに対して課金される。ここで、複数の電子データの中には、電子証明書を必要とするもののほかに、電子証明書を必要としないものが含まれている可能性がある。そして、電子証明書を必要としない電子データを誤って認証局に送信すると、この電子データに対して電子証明書が発行されるとともに電子証明書の発行数に応じた発行手数料が電子公証センターに課金される。
【０００７】
このように、電子証明書を必要としない電子データを誤って認証局に送信した場合、この電子データに対して電子証明書が発行されるとともに電子証明書の発行数に応じた発行手数料が電子公証センターに課金されるため、電子公証センターにとって電子証明書の発行に関する費用がかさむという問題がある。
【０００８】
本発明は、かかる点に鑑みてなされたものであり、その目的とするところは、電子署名及びタイムスタンプが付属された電子証明書の発行に関する費用を確実に低減できる電子認証システムを提供することにある。
【課題を解決するための手段】
【０００９】
上記目的を達成するために、本発明の電子認証システムは、任意の電子文書に対して電子署名及びタイムスタンプが付属された電子証明書を発行する認証局と、前記認証局との間でデータの送受信を行う通信装置と、を備え、前記通信装置から前記認証局に前記電子証明書発行の申請が行われることによって前記認証局が申請内容に基づく前記電子証明書を発行する電子認証システムにおいて、前記認証局への前記電子証明書の発行の申請を承認するか否かが前記電子文書の内容に基づき判断されるとともに、前記電子文書の内容に基づき前記認証局への前記電子証明書の発行の申請が承認されたときに、前記電子証明書の発行の申請が前記通信装置から前記認証局に行われ、前記認証局が申請内容に基づく前記電子証明書を発行することを特徴とする。
【００１０】
このような構成の電子認証システムにおいて、前記認証局が、前記電子証明書の発行の申請内容に基づき前記電子証明書の発行を許可するか否かを判断し、前記電子証明書の発行を許可するものと判定したときにだけ前記電子証明書を前記通信装置に送信するとともに、前記通信装置が、前記認証局が発行した前記電子証明書を受信するごとに第１の所定回数だけ計数するカウンタを備える。
【００１１】
そして、この電子認証システムにおいて、認証局は、電子証明書の発行の申請内容に基づき、電子証明書の発行の申請が認証局に登録されている者によって行われているか否かを判断する。この判断結果により、認証局が、電子証明書の発行を許可するものと判定したときにだけ申請内容に基づく電子証明書を作成するとともに、作成した電子証明書を通信装置に送信する。その後、認証局から送られてきた電子証明書を通信装置が受信すると、通信装置に設置されたカウンタが第１の所定回数だけ計数する。
【００１２】
このとき、前記カウンタの計数値に応じた料金を課金する課金用サーバを備える。そして、課金用サーバは、カウンタの計数値に定数をかけて算出される値を電子証明書の発行を申請する者に対する請求額として電子証明書の発行を申請する者に請求する。
【００１３】
また、上述のそれぞれの電子認証システムにおいて、前記電子文書の内容に基づいて前記認証局への前記電子証明書の発行の申請を承認するか否かの判断を行う承認者によって使用されるとともに前記通信装置との間でデータの送受信を行う端末装置を備え、前記端末装置は、前記通信装置で作成された電子文書を受信すると、前記承認者に閲覧させるために前記通信装置から送信された前記電子文書の内容を表示した後、表示された前記電子文書の内容を閲覧した前記承認者による操作に基づいて前記認証局への前記電子証明書の発行の申請が承認されたか否かを確認し、前記承認者によって前記認証局への前記電子証明書の発行の申請を承認する操作がなされたことを前記端末装置が確認したときに、前記端末装置から前記通信装置に前記認証局への前記電子証明書の発行の申請を許可する旨の指示がなされることによって、前記通信装置から前記認証局へ前記電子証明書の発行の申請が行われる。
【００１４】
尚、通信装置で作成された電子文書を端末装置に送信して端末装置に電子文書の内容を表示するのに代えて、通信装置で作成された電子文書の内容を要約したもの（例えば、電子文書のファイル名など）を端末装置に送信して端末装置に電子文書の内容を要約したものを表示するようにしてもよい。または、通信装置で作成された電子文書が保存される場所が示されたＵＲＬ（Uniform Resource Locator）を端末装置に表示し、承認者がこのＵＲＬにアクセスすることで電子文書を承認者が閲覧できるようにしてもよい。
【００１５】
また、電子文書の内容を閲覧した承認者により認証局への電子証明書の発行の申請を承認するか否かの操作がなされたことを端末装置が確認したとき、通信装置から端末装置に送信された電子文書が端末装置から削除されるようにしてもよい。これにより、端末装置に電子文書が蓄積して保存されることがないため、端末装置に設置されるメモリの容量を小さくすることができる。
【００１６】
このとき、前記通信装置が、メールの送受信を行うメール機能とプリンタ機能とＦＡＸ機能のうちの少なくとも１つの機能を通常機能として有する画像形成装置を構成するとともに、前記画像形成装置が、前記端末装置より送信された前記認証局への前記電子証明書の発行の申請を承認するか否かの判定結果をメール機能を用いたメール、プリンタ機能を用いたプリント出力、或いは、ＦＡＸ機能を用いたＦＡＸ出力により通知する承認結果通知機能を備える。
【００１７】
そして、この電子認証システムにおいて、承認結果通知機能としてメールにより認証局への電子証明書の発行の申請を承認するか否かの判定結果を通知する場合、端末装置から画像形成装置へ送信されたメールの内容が画像形成装置の表示部などに表示される。また、端末装置から画像形成装置へ送信されたメールを画像形成装置と接続するパソコンに転送することも可能である。また、承認結果通知機能としてＦＡＸ出力やプリント出力により認証局への電子証明書の発行の申請を承認するか否かの判定結果を通知する場合、出力される記録紙に、承認者による判定結果に加えて電子文書の１ページ目の縮小画像または１ページ目の画像の半分を印刷するようにしてもよい。
【００１８】
また、このとき、前記画像形成装置が、前記認証局による前記電子証明書の発行を許可するか否かの判定結果をメール機能を用いたメール、プリンタ機能を用いたプリント出力、或いは、ＦＡＸ機能を用いたＦＡＸ出力により通知する発行結果通知機能を備える。
【００１９】
そして、この電子認証システムにおいて、発行結果通知機能としてメールにより認証局による電子証明書の発行を許可するか否かの判定結果を通知する場合、認証局から画像形成装置へ送信されたメールの内容が画像形成装置の表示部などに表示される。また、認証局から画像形成装置へ送信されたメールを画像形成装置と接続するパソコンに転送することも可能である。また、承認結果通知機能としてＦＡＸ出力やプリント出力により認証局による電子証明書の発行を許可するか否かの判定結果を通知する場合、出力される記録紙に、認証局による判定結果に加えて電子文書の１ページ目の縮小画像または１ページ目の画像の半分を印刷するようにしてもよい。
【００２０】
また、上述のそれぞれの電子認証システムにおいて、前記カウンタは、前記画像形成装置のプリンタ機能またはＦＡＸ機能が使用されるごとに第２の所定回数だけ計数する。そして、画像形成装置に設置されるカウンタは、画像形成装置のプリンタ機能を用いて記録紙を１枚プリント出力するごとに第２の所定回数だけ計数するとともに、画像形成装置のＦＡＸ機能を用いて記録紙を１枚ＦＡＸ出力するごとに第２の所定回数だけ計数する。
【００２１】
また、上述のそれぞれの電子認証システムにおいて、前記画像形成装置は、原稿の画像をスキャンすることによって前記電子文書を作成可能なスキャナ機能を有しており、前記カウンタは、前記画像形成装置のスキャナ機能が使用されるごとに第３の所定回数だけ計数する。そして、画像形成装置に設置されるカウンタは、画像形成装置のスキャナ機能を用いて原稿の画像を１枚スキャンするごとに第３の所定回数だけ計数する。
【００２２】
また、上記目的を達成するために、本発明の画像形成装置は、プリンタ機能とＦＡＸ機能とスキャナ機能のうちの少なくとも１つの機能を通常機能として備えるとともに、前記通常機能が使用されるごとに所定回数だけ計数するカウンタと任意の電子文書に対して電子署名及びタイムスタンプが付属された電子証明書を発行する認証局との間でデータの送受信を行う送受信部とを備える画像形成装置において、前記認証局が発行した前記電子証明書を前記送受信部が受信するごとに前記カウンタが所定回数だけ計数するとともに、前記認証局が発行した前記電子証明書を前記送受信部が受信したときに前記カウンタが計数する所定回数と前記通常機能が使用されたときに前記カウンタが計数する所定回数とが、前記認証局が発行する前記電子証明書の発行手数料と前記通常機能の使用料との比に応じて設定されることを特徴とする。
【００２３】
これにより、カウンタの計数値に基づき、認証局が発行する電子証明書の発行手数料と画像形成装置の通常機能の使用料とが合わせて課金される。
【００２４】
このとき、この画像形成装置は、上述のそれぞれの電子認証システムにおける画像形成装置である。
【００２５】
すなわち、電子認証システムにおけるこの画像形成装置は、画像形成装置のプリンタ機能またはＦＡＸ機能が使用されるごとに第２の所定回数だけ計数するとともに、認証局が発行した電子証明書を送受信部が受信するごとに所定回数だけ計数する。或いは、電子認証システムにおけるこの画像形成装置は、画像形成装置のスキャナ機能が使用されるごとに第３の所定回数だけ計数するとともに、認証局が発行した電子証明書を送受信部が受信するごとに所定回数だけ計数する。
【発明の効果】
【００２６】
本発明によれば、電子証明書の発行の申請を承認するか否かを電子文書の内容に基づき判断し、電子証明書の発行の申請が承認された電子文書に対してのみ電子証明書の発行の申請を認証局に行うようにしているため、電子証明書の発行を必要としない電子文書に対して電子証明書の発行の申請を認証局に行うことを確実に防止でき、電子証明書の発行に関する費用を確実に低減することができる。また、本発明によれば、電子証明書の発行手数料と画像形成装置の通常機能の使用料とをカウンタの計数値に基づき合わせて課金するようにしているため、画像形成装置のユーザにかかるコスト体系を明確にすることができる。
【発明を実施するための最良の形態】
【００２７】
以下、本発明の実施形態を図面に基づいて詳細に説明する。
【００２８】
《発明の実施形態１》
図１に示すように、本実施形態の電子認証システムは、任意の電子文書に対して電子証明書発行の申請を行うための電子申請書を認証局５０に送信するとともに認証局５０が発行した電子証明書とこの電子証明書を発行する対象の電子文書とを受信者７０に送信する画像形成装置１０と、認証局５０が発行した電子証明書をこの電子証明書を発行する対象の電子文書と関連付けて保存するデータベース２０と、画像形成装置１０から認証局５０に電子申請書が送信される前に任意の電子文書に対する電子証明書発行の申請の可否を判断するために電子証明書の発行を申請する者以外の他者（以下、「承認者」と呼ぶ）が使用する端末装置３０と、からなる送信者４０と、承認者が任意の電子文書に対する電子証明書発行の申請を承認した後に画像形成装置１０から送信された電子申請書を受理し、この電子申請書の内容に基づく電子証明書を発行する認証局５０と、認証局５０が電子証明書を発行するごとに認証局５０から電子証明書の発行手数料を請求されるとともに電子証明書の発行数に応じた発行手数料と画像形成装置１０が備える各機能の使用料とを送信者４０である画像形成装置１０のユーザに請求することによって画像形成装置１０のユーザから電子証明書の発行手数料と画像形成装置１０が備える各機能の使用料とを徴収するディーラ６０と、認証局５０が発行した電子証明書を画像形成装置１０が受信すると同時にこの画像形成装置１０から送信される電子証明書と電子文書とを受信する受信者７０と、の間で構築される。
【００２９】
そして、この電子認証システムでは、図１に示すように、認証局５０とディーラ６０と受信者７０とが電話回線、光ファイバ、或いは無線回線などのネットワーク回線網８０によって接続されるとともに、このネットワーク回線網８０にＬＡＮ（Local Area Network）９０を介して画像形成装置１０及び端末装置３０が接続されている。また、画像形成装置１０及び端末装置３０に加え、ＬＡＮ９０も送信者４０の中に含まれる。
【００３０】
このような構成の電子認証システムにおいて、例えば、画像形成装置１０は、コピー、プリンタ、スキャナ、或いはファックスの４つの機能を併せ持つＭＦＰ（Multi Function Peripherals）とする。更に、この画像形成装置１０は、電子メールの送受信を行う機能を備えている。
【００３１】
そして、図２に示すように、画像形成装置１０は、ＬＡＮ９０と接続されて端末装置３０と認証局５０とディーラ６０との間でデータの送受信を行う送受信部１１と、コピー、プリンタ、スキャナ、或いはファックスを行うための画像を形成する画像形成部１２と、画像形成装置１０のユーザが画像形成条件を入力するための操作を行う操作部１３と、画像形成装置１０のユーザが入力した画像形成条件を表示するとともに端末装置３０或いは認証局５０から送られてきた電子メールの内容を表示する表示画面（不図示）を備える表示部１４と、ユーザＩＤが記憶されたカードをカードリーダー（不図示）に挿入することによってこれから画像形成装置１０を使用する者が画像形成装置１０のユーザとして登録されている者であるか否かを判断するユーザ認証部１５と、ユーザ認証に関する情報や電子証明書の発行の申請に関する情報などが記憶されるメモリ１６と、画像形成装置１０が画像形成動作を行うときや認証局５０が発行した電子証明書を取得したときにカウントするカウンタ１７と、電子証明書の発行の申請を行うために認証局５０に送信する電子申請書を作成する申請書作成部１８と、送受信部１１、画像形成部１２、操作部１３、表示部１４、ユーザ認証部１５、カウンタ１７、及び申請書作成部１８のそれぞれを制御する制御部１９と、を備えている。
【００３２】
また、画像形成装置の操作部１３は、コピー、プリンタ、スキャナ、或いはファックスの各機能を切り換えるための複数の機能切換キー（不図示）と画像形成装置１０のユーザが選択した任意の電子文書に対して電子証明書の発行を申請するための証明書発行キー（不図示）とを備えている。
【００３３】
また、画像形成装置のメモリ１６には、ユーザ認証に関する情報として、画像形成装置１０のユーザとして登録されている者のユーザＩＤが記憶されるとともに、電子証明書の発行の申請に関する情報として、各ユーザＩＤに対応するユーザの公開鍵とこの公開鍵と対になる秘密鍵及び任意のユーザＩＤと任意のユーザＩＤを有するユーザが選択した電子文書に対して電子証明書の発行を申請する必要があるか否かを判断する承認者との関係を示す承認テーブル（図３を参照）が記憶されている。また、メモリ１６には、複数の電子文書が記憶されている。
【００３４】
更に、画像形成装置のカウンタ１７は、画像形成装置１０のユーザごとに設置されている。そして、このカウンタ１７は、画像形成装置１０の各ユーザが画像形成装置１０のコピー機能を用いて原稿の画像を１部コピーするごとに例えば１回カウントするとともに、画像形成装置１０の各ユーザが認証局５０が発行した電子証明書を１部取得するごとに例えば４回カウントする。
【００３５】
また、図４に示すように、認証局５０は、インターネットに接続されて画像形成装置１０とディーラ６０との間でデータの送受信を行う送受信部５１と、画像形成装置１０から送信されるとともに送受信部５１が受信した電子申請書の内容に基づき電子証明書を作成するためのメッセージダイジェストを生成する演算部５２と、演算部５２で生成されたメッセージダイジェストから電子申請書に記載された内容が正しいか否かを検証するとともに受信者７０からの検証要求に基づき送信者４０が受信者７０に送信した電子文書の原本性を検証する検証部５３と、検証部５３が電子申請書に記載された内容が正しいと判断したときに電子署名とタイムスタンプとが付属された電子証明書を作成する証明書作成部５４と、証明書作成部５４がタイムスタンプを作成する際に参照する標準時刻を計時する日時計測部５５と、送受信部５１、演算部５２、検証部５３、及び証明書作成部５４のそれぞれを制御する制御部５６と、を備えている。
【００３６】
また、図５に示すように、ディーラ６０は、課金用サーバ６１を備えている。そして、この課金用サーバ６１は、インターネットに接続されて画像形成装置１０と認証局５０との間でデータの送受信を行う送受信部６２と、認証局５０が画像形成装置１０のユーザに対して電子証明書を１部発行するごとに認証局５０から課金用サーバ６１に送られてくる電子証明書の発行手数料を記憶するメモリ６３と、画像形成装置１０から取得したカウンタ１７の計数値に基づき画像形成装置１０のユーザに画像形成装置１０が備える各機能の使用料と認証局５０が発行した電子証明書の発行手数料とを合わせて課金する課金部６４と、定期的（例えば、一ヶ月に一度）に画像形成装置１０にカウンタ１７の計数値を要求するとともに送受信部６２及び課金部６４を制御する制御部６５と、を備えている。
【００３７】
このように構成された電子認証システムでは、以下のようにして送信者４０となる画像形成装置１０及び端末装置３０と認証局５０とディーラ６０と受信者７０との間でデータの送受信が行われる。これについて詳細に説明する。
【００３８】
まず、これから画像形成装置を使用する者がユーザＩＤが記憶されたカードを画像形成装置１０に設置されたカードリーダー（不図示）に挿入すると、このカードに記憶されたユーザＩＤがカードリーダーに読み取られる。そして、画像形成装置１０のユーザ認証部１５において、メモリ１６に記憶された画像形成装置１０のユーザとして登録されている者のユーザＩＤが参照され、カードから読み取られたユーザＩＤが画像形成装置１０のユーザとして登録されている者のユーザＩＤの中に含まれているか否かの判断が行われる。
【００３９】
この判断結果により、画像形成装置１０のユーザ認証部１５が、カードリーダーにカードを挿入した者が画像形成装置１０のユーザとして登録されていない者であることを確認すると、ユーザ認証部１５から制御部１９にその旨を表す制御信号が送信される。そして、表示部１４の表示画面に、ユーザ認証が正常に終了しなかったことを示す内容のメッセージが表示される。一方、この判断結果により、画像形成装置１０のユーザ認証部１５が、カードリーダーにカードを挿入した者が画像形成装置１０のユーザとして登録されている者であることを確認すると、ユーザ認証部１５から制御部１９にその旨を表す制御信号が送信される。そして、表示部１４の表示画面に、ユーザ認証が正常に終了したことを示す内容のメッセージが表示される。
【００４０】
尚、画像形成装置１０のユーザ認証部１５が、ユーザＩＤとパスワードとに基づき、カードリーダーにカードを挿入した者が画像形成装置１０のユーザとして登録されている者であるか否かを判断するようにしてもよい。すなわち、予めメモリ１６に画像形成装置１０の使用を許可する者のユーザＩＤとパスワードとを記憶させておく。そして、これから画像形成装置１０を使用する者がユーザＩＤが記憶されたカードをカードリーダーに通すとともに操作部１３でパスワードを入力することによって、これらの入力されたユーザＩＤとパスワードとがメモリ１６に記憶されているか否かをユーザ認証部１５が判断するようにしてもよい。
【００４１】
或いは、カードリーダーを使用しないときや画像形成装置にカードリーダーが設置されていないときに、これから画像形成装置１０を使用する者が操作部１３でユーザＩＤとパスワードとを入力することによって、これらの入力されたユーザＩＤとパスワードとがメモリ１６に記憶されているか否かをユーザ認証部１５が判断するようにしてもよい。
【００４２】
続いて、画像形成装置１０のユーザ認証部１５によるユーザ認証が正常に終了すると、画像形成装置１０のユーザは、操作部１３に設置された複数の機能切換キーの何れかを押下して、コピー機能、プリンタ機能、スキャナ機能、或いはファックス機能の中から使用したい機能を選択する。
【００４３】
例えば、画像形成装置１０のユーザがコピー機能に関する機能切換キーを押下すると、コピー機能が選択されて画像形成装置１０がコピー機能に切り換わる。そして、画像形成装置１０において、原稿の画像を読み取る読取工程、装置内部に設置される感光ドラム（不図示）の表面を帯電させる帯電工程、帯電した感光ドラムにレーザ光を照射してこの感光ドラムの表面に静電潜像を形成する露光工程、感光ドラムの表面に形成された静電潜像にトナーを付着させて現像を行う現像工程、感光ドラムの表面に付着したトナーを記録紙に転写する転写工程、及び記録紙に転写されたトナーを記録紙に定着させる定着工程の各工程が順に行われることによって、記録紙への画像の印刷が行われる。
【００４４】
また、画像形成装置１０の各ユーザが原稿の画像を１部コピーするごとに、画像形成装置１０にユーザ別に設置されたカウンタ１７が所定の回数（例えば、１回）だけカウントする。
【００４５】
次に、画像形成装置１０のユーザが任意の電子文書に対して認証局５０に電子証明書の発行を申請するときの電子認証システムの動作について、図１０に示すシーケンス図を参照しながら説明する。
【００４６】
画像形成装置１０のユーザが任意の電子文書に対して認証局５０に電子証明書の発行を申請するときには、まず、電子証明書の発行を申請する電子文書を選択する（ステップＳ１１）。その方法として、画像形成装置１０のユーザは、電子証明書の発行を申請する電子文書を画像形成装置１０のメモリ１６から読み出して選択する。或いは、画像形成装置１０のユーザが画像形成装置１０のスキャナ機能を用いて原稿の画像をスキャンすることによって電子文書が作成されるとともに、この電子文書がメモリ１６に記憶される。そして、画像形成装置１０のユーザは、画像形成装置１０のメモリ１６からこの電子文書を読み出して選択する。
【００４７】
次に、画像形成装置１０のユーザは、電子証明書の発行を申請する電子文書を決定した後（ステップＳ１１）、操作部１３に設置された証明書発行キーを押下する。すると、承認ワークフローがＯＮになっているときには、ユーザが選択した電子文書が添付された電子メールが承認者に送信されるとともに（ステップＳ１２）、ユーザが選択した電子文書に対して電子証明書の発行を認証局５０に申請する必要があるか否かの判断が承認者によって行われる（ステップＳ１３）。
【００４８】
すなわち、画像形成装置１０のユーザが証明書発行キーを押下すると、操作部１３から制御部１９に制御信号が送信され、制御部１９において画像形成装置１０のユーザが証明書発行キーを押下したことが確認される。続いて、制御部１９が、ユーザ認証部１５が認証したユーザＩＤをユーザ認証部１５から取得するとともにメモリ１６に記憶された承認テーブルを参照し、このユーザＩＤに対する承認者を確認する。そして、この承認者が使用する端末装置３０に、画像形成装置１０の送受信部１１からＬＡＮ９０を通じて電子メールが送信される（ステップＳ１２）。このとき、電子メールには、画像形成装置１０のユーザが選択した電子文書が添付される。
【００４９】
例えば、画像形成装置１０の制御部１９が、ユーザ認証部１５からＣ０００１というユーザＩＤを取得するとともにメモリ１６に記憶された図３に示すような承認テーブルを参照することにより、Ｃ０００１というユーザＩＤに対する承認者がＡであることを確認すると、画像形成装置１０から承認者Ａが使用する端末装置３０にＬＡＮ９０を通じて電子メールが送信される。
【００５０】
尚、画像形成装置１０のユーザが選択した電子文書を電子メールに添付するのに代えて、電子メールの本文に画像形成装置１０のユーザが選択した電子文書が保存される場所が書かれたＵＲＬ（Uniform Resource Locator）を記載し、承認者がこのＵＲＬにアクセスすることで画像形成装置１０のユーザが選択した電子文書を承認者が閲覧できるようにしてもよい。
【００５１】
続いて、承認者は、画像形成装置１０から送られてきた電子メールを受信すると、この電子メールに添付される画像形成装置１０のユーザが選択した電子文書を端末装置３０を通じて閲覧し、画像形成装置１０のユーザが選択した電子文書に対して電子証明書の発行を認証局５０に申請するべきか否かを判断する（ステップＳ１３）。そして、承認者は、この判断結果を画像形成装置１０のユーザに対して電子メールで返信する（ステップＳ１４）。
【００５２】
例えば、承認者は、画像形成装置１０のユーザが選択した電子文書に対して電子証明書の発行の申請を承認するとき、画像形成装置１０から端末装置３０に送られてきた電子メールの本文の所定位置に「ＹＥＳ」という文字を付け、この電子メールを画像形成装置１０のユーザに対して返信する。一方、承認者は、画像形成装置１０のユーザが選択した電子文書に対して電子証明書の発行の申請を承認しないとき、画像形成装置１０から端末装置３０に送られてきた電子メールの本文の所定位置に「ＮＯ」という文字を付け、この電子メールを画像形成装置１０のユーザに対して返信する。
【００５３】
そして、画像形成装置１０の送受信部１１が承認者の端末装置３０からＬＡＮ９０を通じて送られてきた電子メールを受信すると、画像形成装置１０の制御部１９は、この送受信部１１が受信した電子メールの内容を分析し、画像形成装置１０のユーザが選択した電子文書に対して承認者が電子証明書の発行の申請を承認したか否かを判断する。このとき、画像形成装置１０の制御部１９が、電子メールの内容に基づき、承認者が電子証明書の発行を承認しなかったことを確認すると、制御部１９から表示部１４にその旨を表す制御信号が送信される。そして、表示部１４の表示画面に、承認者が電子証明書の発行の申請を承認しなかったことを示す内容のメッセージが表示される（ステップＳ１５）。
【００５４】
一方、画像形成装置１０の制御部１９が、電子メールの内容に基づき、承認者が電子証明書の発行を承認したことを確認すると、制御部１９から表示部１４にその旨を表す制御信号が送信される。そして、表示部１４の表示画面に、承認者が電子証明書の発行の申請を承認したことを示す内容のメッセージが表示されるとともに、認証局５０に電子証明書の発行を申請するために「電子証明書の発行を申請するには証明書発行キーを押して下さい。」などとった内容のメッセージ表示される（ステップＳ１５）。
【００５５】
このようにして、画像形成装置１０のユーザは、画像形成装置１０のユーザが選択した電子証明書の発行を申請する電子文書に対して承認者が電子証明書の発行の申請を承認したか否かを、表示部１４の表示画面を通して確認することができる。
【００５６】
尚、画像形成装置１０のユーザが選択した電子文書に対して承認者が電子証明書の発行の申請を承認したか否かを画像形成装置１０のユーザに通知する方法として、表示部１４の表示画面に表示することの他に、画像形成装置１０のファックス機能やプリンタ機能を利用して承認者による承認結果を記録紙に出力することなどが挙げられる。このとき、出力される記録紙に、承認者による承認結果に加えて画像形成装置１０のユーザが選択した電子文書の１ページ目の縮小画像または１ページ目の画像の半分を印刷するようにしてもよい。
【００５７】
また、画像形成装置１０のユーザが、電子証明書の発行を申請する電子文書を決定した後、操作部１３に設置された証明書発行キーを押下したときに承認ワークフローがＯＦＦになっていれば、画像形成装置１０から承認者に電子メールが送信されず、画像形成装置１０のユーザが選択した電子文書に対して承認者が電子証明書の発行を認証局５０に申請するべきか否かを判断するステップが省略される。そして、認証局５０に電子証明書の発行を申請するために、「電子証明書の発行を申請するには証明書発行キーを押して下さい。」などとった内容のメッセージが表示部１４の表示画面に表示される。
【００５８】
続いて、画像形成装置１０のユーザが、表示部１４の表示画面に表示された内容に基づき電子証明書発行キーを押下すると、操作部１３から制御部１９に制御信号が送信され、制御部１９において画像形成装置１０のユーザが証明書発行キーを押下したことが確認される。そして、画像形成装置１０の制御部１９が、メモリ１６に記憶された各ユーザＩＤに対応するユーザの公開鍵を参照するとともに、電子証明書の発行の申請の可否を判断する承認者を決定するときにユーザ認証部１５から取得したユーザＩＤに基づき、このユーザＩＤに対応するユーザの公開鍵を確認する。そして、申請書作成部１８において、認証局５０に電子証明書の発行を申請するための電子申請書が作成される（ステップＳ１６）。このとき、電子申請書には、図６に示すように、制御部１９が確認したユーザＩＤとこのユーザＩＤに対応するユーザの公開鍵とが記載される。
【００５９】
また、画像形成装置１０の申請書作成部１８では、電子申請書に記載されたユーザＩＤ及びユーザの公開鍵のデータがハッシュ関数などの一方向関数によってメッセージダイジェストに変換される。そして、このメッセージダイジェストがユーザの秘密鍵で暗号化されることによって、ユーザの電子署名が生成される。続いて、図６に示すように、ユーザＩＤとユーザの公開鍵とが記載される電子申請書に電子署名が追加されるとともにこの電子署名が追加された電子申請書が認証局５０の公開鍵で暗号化され、この暗号化された電子申請書が画像形成装置１０の送受信部１１からＬＡＮ９０及びネットワーク回線網８０を通じて認証局５０に送信される（ステップＳ１７）。
【００６０】
尚、画像形成装置１０の各ユーザは、ユーザＩＤとユーザの公開鍵とを予め認証局５０に登録するとともに、認証局５０に登録したユーザの公開鍵とこの公開鍵と対になる秘密鍵とを保管しておく。このとき、画像形成装置１０の各ユーザのユーザＩＤとユーザの公開鍵とを予め認証局５０に登録するのに代えて、画像形成装置１０にＩＤと公開鍵とを持たせるとともに画像形成装置１０のＩＤと画像形成装置１０の公開鍵とを予め認証局５０に登録するようにしてもよい。
【００６１】
その後、画像形成装置１０の送受信部１１から認証局５０に送られた電子申請書を認証局５０の送受信部５１が受信したときに、この電子申請書が認証局５０の秘密鍵で復号化される。
【００６２】
そして、この復号化された電子申請書が、送受信部５１から検証部５３に送信される。認証局５０の検証部５３は、送受信部５１から送られてきた電子申請書を受信すると、この電子申請書に記載されたユーザＩＤとユーザの公開鍵とからユーザの公開鍵が認証局５０に登録されているか否かを判断し、画像形成装置１０のユーザがユーザの公開鍵と対になる秘密鍵を所有しているか否かの検証を行う（ステップＳ１８）。
【００６３】
この検証結果により、認証局５０の検証部５３が、画像形成装置１０のユーザがユーザの公開鍵と対になる秘密鍵を所有していることを確認すると、認証局５０に登録されているユーザであること表す制御信号が検証部５３から制御部５６に送信される。そして、認証局５０の制御部５６の指示により、電子申請書が検証部５３から演算部５２に送信される。認証局５０の演算部５１は、検証部５３から送られてきた電子申請書を受信すると、この電子申請書に付属される電子署名をユーザの公開鍵を用いてメッセージダイジェストに変換するとともに、電子申請書に記載されたユーザＩＤ及びユーザの公開鍵のデータをハッシュ関数などの一方向関数を用いてメッセージダイジェストに変換する。
【００６４】
続いて、認証局５０の演算部５２で生成された２種類のメッセージダイジェストが演算部５２から検証部５３に送信される。認証局５０の検証部５３は、演算部５２から送られてきた２種類のメッセージダイジェストを受信すると、これらのメッセージダイジェスト、即ち、電子申請書に付属される電子署名をユーザの公開鍵を用いて変換したメッセージダイジェストと電子申請書に記載されたユーザＩＤ及びユーザの公開鍵のデータを一方向関数を用いて変換したメッセージダイジェストとが一致しているか否かの検証を行う（ステップＳ１８）。
【００６５】
この検証結果により、認証局５０の検証部５３が演算部５２で生成された２種類のメッセージダイジェストが互いに一致することを確認すると、検証結果が一致する旨を表す制御信号が検証部５３から制御部５６に送信される。そして、認証局５０の証明書作成部５４は、制御部５６の指示により、ユーザＩＤとユーザの公開鍵と日時計測部５５から取得した認証局５０が電子申請書を受信した時刻とが記載された電子証明書を作成する（ステップＳ１９，図７参照）。
【００６６】
また、証明書作成部５４において、電子証明書に記載されるユーザＩＤとユーザの公開鍵と日時計測部５５から取得した認証局５０が電子申請書を受信した時刻とのデータが一方向関数によってメッセージダイジェストに変換される。そして、このメッセージダイジェストが認証局５０の秘密鍵で暗号化されることによって、認証局５０の電子署名が作成される。続いて、図７に示すように、ユーザＩＤとユーザの公開鍵と日時計測部５５から取得した認証局５０が電子申請書を受信した時刻とが記載される電子証明書に電子署名が追加される。このようにして、電子署名とタイムスタンプとが付属された電子証明書が作成される（ステップＳ１９）。その後、電子署名とタイムスタンプとが付属された電子証明書がユーザの公開鍵で暗号化され、この暗号化された電子証明書が認証局５０の送受信部５１からネットワーク回線網８０及びＬＡＮ９０を通じて画像形成装置１０に送信される（ステップＳ２０）。
【００６７】
また、認証局５０が画像形成装置１０のユーザに対して電子証明書を発行したときに、認証局５０が電子証明書を発行したことを示す内容の電子メールが認証局５０からネットワーク回線網８０及びＬＡＮ９０を通じて画像形成装置１０に送信される（ステップＳ２１）。そして、画像形成装置１０の送受信部１１がこの電子メールを受信すると、画像形成装置１０の制御部１９は、送受信部１１が受信した電子メールの内容を分析する。このとき、画像形成装置１０の制御部１９が、電子メールの内容に基づき、認証局５０が電子証明書を発行したことを確認すると、制御部１９から表示部１４にその旨を表す制御信号が送信される。そして、表示部１４の表示画面に、認証局５０が電子証明書を発行したことを示す内容のメッセージが表示される（ステップＳ２２）。
【００６８】
一方、認証局５０の検証部５３が画像形成装置１０のユーザがユーザの公開鍵と対になる秘密鍵を所有していること及び認証局５０の演算部５２で生成された２種類のメッセージダイジェストが互いに一致することの何れか一方を確認できないときに、認証局５０が電子証明書を発行しなかったことを示す内容の電子メールが認証局５０からネットワーク回線網８０及びＬＡＮ９０を通じて画像形成装置１０に送信される（ステップＳ２１）。そして、画像形成装置１０の送受信部１１がこの電子メールを受信すると、画像形成装置１０の制御部１９は、送受信部１１が受信した電子メールの内容を分析する。このとき、画像形成装置１０の制御部１９が、電子メールの内容に基づき、認証局５０が電子証明書を発行しなかったことを確認すると、制御部１９から表示部１４にその旨を表す制御信号が送信される。そして、表示部１４の表示画面に、認証局５０が電子証明書を発行しなかったことを示す内容のメッセージが表示される（ステップＳ２２）。
【００６９】
このようにして、画像形成装置１０のユーザは、画像形成装置１０のユーザが選択した電子証明書の発行を申請する電子文書に対して認証局５０が電子証明書を発行したか否かを表示部１４の表示画面を通して確認することができる。
【００７０】
尚、画像形成装置１０のユーザが選択した電子文書に対して認証局５０が電子証明書を発行したか否かを画像形成装置１０のユーザに通知する方法として、表示部１４の表示画面に表示することの他に、画像形成装置１０のファックス機能やプリンタ機能を利用して電子証明書発行の可否の情報を記録紙に出力することなどが挙げられる。このとき、出力される記録紙に、電子証明書発行の可否の情報に加えて画像形成装置１０のユーザが選択した電子文書の１ページ目の縮小画像または１ページ目の画像の半分を印刷するようにしてもよい。
【００７１】
また、認証局５０から画像形成装置１０に送られた電子証明書を画像形成装置１０の送受信部１１が受信したときに、この電子証明書がユーザの秘密鍵で復号化される。また、画像形成装置１０の送受信部１１が電子証明書を受信すると、送受信部１１から制御部１９にその旨を表す制御信号が送信される。そして、画像形成装置１０の制御部１９が、送受信部１１が電子証明書を受信したことを確認すると、画像形成装置１０に設置されたカウンタ１７が所定の回数（例えば、４回）だけカウントする（ステップＳ２３）。尚、後で詳細に説明するが、ディーラ６０は、画像形成装置１０に設置されたカウンタ１７の計数値に基づく料金を定期的に画像形成装置１０のユーザに対して請求する。
【００７２】
続いて、画像形成装置１０の送受信部１１が受信したときにユーザの秘密鍵で復号化された電子証明書は、その原本がメモリ１６から読み出された電子証明書を発行する対象の電子文書の原本とともにデータベース２０に登録される（ステップＳ２４）。このとき、データベース２０には、例えば、認証局５０から送られてきた電子証明書を画像形成装置１０の送受信部１１が受信した日付順に、電子証明書とこの電子証明書を発行する対象の電子文書とが関連付けて記憶される。
【００７３】
また、画像形成装置１０の送受信部１１が認証局５０から送られてきた電子証明書を受信したとき、電子証明書を発行する対象の電子文書のコピーが作成される。そして、この電子文書に記載されたデータがハッシュ関数などの一方向関数によってメッセージダイジェストに変換されるとともに、このメッセージダイジェストがユーザの秘密鍵で暗号化されることによって、ユーザの電子署名が作成される。続いて、図８に示すように、データが記載された電子文書に電子署名が追加される。
【００７４】
その後、ユーザの秘密鍵で復号化された電子証明書と電子署名が追加された電子文書とが受信者７０の公開鍵で暗号化されるとともに、この暗号化された電子証明書及び電子文書が、画像形成装置１０の送受信部１１からＬＡＮ９０及びネットワーク回線網８０を通じて受信者７０に送信される（ステップＳ２５）。そして、画像形成装置１０の送受信部１１から受信者７０に送られた電子証明書及び電子文書を受信者７０が受信したときに、この暗号化された電子証明書及び電子文書が受信者の秘密鍵で復号化される。
【００７５】
尚、電子文書及び電子証明書の受信者７０は、送信者４０である画像形成装置１０のユーザから電子文書及び電子証明書を暗号化して送信してもらうために、受信者７０の公開鍵を予め画像形成装置１０のユーザに渡しておく必要がある。また、受信者７０は、受信者７０の公開鍵とこの公開鍵と対になる秘密鍵とを保管しておく。
【００７６】
このように、画像形成装置１０から認証局５０に送信された電子申請書を認証局５０が受信すると、認証局５０がこの電子申請書に基づき電子証明書を作成し、この電子証明書を画像形成装置１０に送信する。そして、画像形成装置１０が認証局５０から送られてきた電子証明書を受信すると同時に、この電子証明書と電子証明書を発行する対象の電子文書とが画像形成装置１０から受信者７０に送信される（図９参照）。すなわち、画像形成装置１０と認証局５０と受信者７０との間でのデータの送受信は、リアルタイムで行われる。よって、電子証明書に記載される認証局５０が電子申請書を受信した時刻と画像形成装置１０から受信者７０に電子証明書と電子文書とが送信される時刻とが概ね同じ時刻となるため、画像形成装置１０から受信者７０に送信される電子文書の原本性が証明される。尚、電子文書の原本性を検証する方法については、後で詳細に説明する。
【００７７】
更に、認証局５０が画像形成装置１０のユーザに対して電子証明書を発行するごとに、認証局５０が電子証明書の発行手数料をディーラ６０に請求する（ステップＳ２６）。すなわち、認証局５０から画像形成装置１０に電子証明書が送信されると同時に、または、認証局５０から画像形成装置１０に電子証明書が送信された後に、認証局５０の送受信部５１からネットワーク回線網８０を通じて課金用サーバ６１に電子証明書の発行手数料のデータが送信される。そして、課金用サーバ６１の送受信部６２が認証局５０から送られてきた電子証明書の発行手数料のデータを受信すると、課金用サーバ６１の制御部６５がデータの内容を確認し、その後に電子証明書の発行手数料のデータをメモリ６３に記憶させる。
【００７８】
また、課金用サーバ６１の制御部６５は、所定期間（例えば、一ヶ月に一度）が経過するごとに、画像形成装置１０のカウンタ１７の計数値を画像形成装置１０から取得する旨の制御信号を課金用サーバ６１の送受信部６２に送信する。これにより、課金用サーバ６１の送受信部６２からネットワーク回線網８０及びＬＡＮ９０を通じて画像形成装置１０にカウンタ１７の計数値の送信要求が行われ（ステップＳ２７）、課金用サーバ６１の送受信部６２は、画像形成装置１０のカウンタ１７の計数値のデータを画像形成装置１０から取得する（ステップＳ２８）。そして、課金用サーバ６１の制御部６５は、課金用サーバ６１の送受信部６２が取得したデータの内容を確認し、その後に画像形成装置１０のカウンタ１７の計数値のデータを課金部６４に送信する。
【００７９】
課金用サーバ６１の課金部６４は、送受信部６２から送られてきた画像形成装置１０のカウンタ１７の計数値のデータを受信すると、カウンタ１７の計数値に基づき、カウンタ１７の計数値に定数をかけて画像形成装置１０のユーザに対する請求額を算出する。また、課金用サーバ６１の課金部６４は、メモリ６３に蓄積して記憶された電子証明書の発行手数料のデータを参照し、画像形成装置１０のカウンタ１７の計数値より算出された請求額から電子証明書の発行手数料を引くことで、画像形成装置１０が備える各機能の使用料を算出する。
【００８０】
その後、課金部６４が画像形成装置１０のカウンタ１７の計数値より算出した画像形成装置１０のユーザに対する請求額のデータが、この請求額の内訳とともに課金用サーバ６１の送受信部６２からネットワーク回線網８０及びＬＡＮ９０を通じて画像形成装置１０に送信される（ステップＳ２９）。そして、画像形成装置１０の送受信部１１が課金用サーバ６１から送られてきた画像形成装置１０のユーザに対する請求額のデータを受信すると、制御部１９がデータの内容を確認した後、制御部１９から画像形成部１２にこのデータを記録紙に出力する旨の制御信号が送信される。これにより、画像形成部１２において、画像形成装置１０のユーザに対する請求額のデータが画像に変換される。そして、画像形成装置１０のプリンタ機能を用いることにより、この画像が記録紙に印刷され、請求書として出力される（ステップＳ３０）。
【００８１】
また、図９に示すように、送信者４０である画像形成装置１０のユーザから受信者７０に送信される電子文書について受信者７０が認証局５０にその原本性の検証を要求する場合、認証局５０は以下のような方法で電子文書の検証を行う。
【００８２】
受信者７０が認証局５０に電子文書の原本性の検証を要求するとき、受信者７０は、電子文書及び電子証明書を認証局５０の公開鍵で暗号化し、この暗号化された電子文書及び電子証明書をネットワーク回線網８０を通じて認証局５０に送信する（ステップＳ４１）。認証局５０の送受信部６２は、受信者７０から送られてきた電子文書及び電子証明書を受信すると、電子文書及び電子証明書を認証局５０の秘密鍵で復号化した後、この復号化された電子文書及び電子証明書を演算部５２に送信する。
【００８３】
演算部５２は、認証局５０の送受信部５１から送られてきた電子文書及び電子証明書を受信すると、まず、電子証明書に付属される電子署名を認証局５０の公開鍵を用いてメッセージダイジェストに変換するとともに、電子証明書に記載されたユーザＩＤとユーザの公開鍵と認証局５０が電子申請書を受信した時刻とのデータをハッシュ関数などの一方向関数を用いてメッセージダイジェストに変換する。
【００８４】
次に、演算部５２は、電子文書に付属される電子署名を電子証明書に記載されたユーザの公開鍵を用いてメッセージダイジェストに変換するとともに、電子文書に記載されたデータをハッシュ関数などの一方向関数を用いてメッセージダイジェストに変換する。
【００８５】
そして、演算部５２で生成された二組のメッセージダイジェストのそれぞれが検証部５３に送信され、検証部５３において、二組のメッセージダイジェストがそれぞれ一致するか否かの判断が行われる（ステップＳ４２）。
【００８６】
すなわち、検証部５３は、演算部５２で生成されたメッセージダイジェストのうちの電子証明書に付属される電子署名を認証局５０の公開鍵を用いて変換したメッセージダイジェストと、電子証明書に記載されたデータを一方向関数を用いて変換したメッセージダイジェストと、が一致しているか否かの検証を行う。また、検証部５３は、演算部５２で生成されたメッセージダイジェストのうちの電子文書に付属される電子署名をユーザの公開鍵を用いて変換したメッセージダイジェストと、電子文書に記載されたデータを一方向関数を用いて変換したメッセージダイジェストと、が一致しているか否かの検証を行う。
【００８７】
これらの検証結果により、検証部５３が二組のメッセージダイジェストのそれぞれが一致することを確認すると、認証局５０の送受信部５１からネットワーク回線網８０を通じて受信者７０に、受信者７０が認証局５０に検証を要求した電子文書が有効であることを示す内容の電子メールが送信される（ステップＳ４３）。一方、これらの検証結果により、検証部５３が二組のメッセージダイジェストの少なくとも何れか一方が一致しないことを確認すると、認証局５０の送受信部５１からネットワーク回線網８０を通じて受信者７０に、受信者７０が認証局５０に検証を要求した電子文書が無効であることを示す内容の電子メールが送信される（ステップＳ４３）。
【００８８】
このように、本実施形態では、電子証明書の発行を認証局５０に申請する者（即ち、画像形成装置１０のユーザ）が電子証明書の発行を認証局５０に申請する前に承認者が電子文書を閲覧し、承認者が電子証明書の発行を認証局に申請してもよいか否かを判断するようにしている。従って、本実施形態によれば、電子証明書の発行を必要としない電子文書に対して電子証明書の発行の申請を認証局５０に行うことを確実に防止でき、電子証明書の発行に関する費用を確実に低減することができる。
【００８９】
また、本実施形態では、電子証明書の発行手数料を画像形成装置１０の各機能の使用料と合わせて画像形成装置１０のユーザに課金するようにしている。従って、本実施形態によれば、電子証明書の発行手数料と画像形成装置１０の各機能の使用料とを合わせて画像形成装置１０のユーザに課金することで、ユーザにかかるコスト体系を明確にすることができる。
【００９０】
更に、本実施形態では、承認者が電子証明書の発行を認証局５０に申請してもよいか否かを判断したときに、及び認証局５０が電子証明書の発行を認証局５０に申請する者（即ち、画像形成装置１０のユーザ）に対して電子証明書を発行したときに、その結果を画像形成装置１０に設置された表示部１４の表示画面に表示するようにしている。従って、本実施形態によれば、電子証明書の発行を認証局５０に申請する者が、表示部１４の表示画面に表示された内容に基づき処理状況を正確に把握することができるとともに、電子認証システムが行う動作の確実性を得ることができる。
【００９１】
尚、上記電子承認システムでは、認証局５０が発行した電子証明書を画像形成装置１０が受信すると同時に電子証明書とこの電子証明書を発行する対象の電子文書とが画像形成装置１０から受信者７０に送信されることとしたが、これに限るものではない。
【００９２】
すなわち、上記電子承認システムでは、電子証明書と電子文書のうち電子文書を先に受信者７０に送信する必要が生じた場合、電子文書を受信者７０に送信した後に承認者が電子証明書を受信者７０に送信する必要があると判断して電子証明書の発行を認証局５０に申請しても、電子文書が受信者７０に送信される時刻と電子証明書に記載される時刻との間にずれが生じるため、電子文書の原本性が保証されない。
【００９３】
このため、電子証明書と電子文書のうち電子文書を先に画像形成装置１０から受信者７０に送信する場合には、電子文書を画像形成装置１０から受信者７０に送信するときに、電子文書が添付された電子メールを画像形成装置１０から承認者が使用する端末装置３０に送信するとともに、電子申請書を画像形成装置１０からＬＡＮ９０及びネットワーク回線網８０を通じて認証局５０に送信する。そして、認証局５０は、画像形成装置１０から送られてきた電子申請書を受信した時刻を日時計測部５５より確認し、この電子申請書を受信した時刻と電子申請書とを一時的に保存する。
【００９４】
その後、承認者が電子メールに添付された電子文書を閲覧し、電子証明書の発行の申請する必要があると判断したときに、承認者が画像形成装置１０のユーザに対してその旨を電子メールで返信することによって、認証局５０に対し電子証明書発行の申請が正式に行われる。これにより、認証局５０は、保存されている電子申請書に基づき電子証明書を作成するとともに、この電子証明書に電子申請書を受信した時刻を記載する。
【００９５】
このような構成とすることで、電子証明書と電子文書のうち電子文書を先に画像形成装置１０から受信者７０に送信する場合でも、電子文書を送信者に送信する時刻と電子証明書の発行時刻とが概ね同じ時刻となるため、電子文書の原本性を証明することができる。
【００９６】
例えば、ある日の午前中に電子文書を受信者７０に送信する必要が生じた場合に、承認者が午前中は会議で午後にしか電子文書が添付された電子メールを閲覧することができないとき、承認者の判断を待って認証局５０に電子証明書発行の申請を行うと、電子証明書の発行時刻がその日の午後となる。これに対し、その日の午前中に電子文書を受信者７０に送信すると同時に電子申請書を認証局５０に送信しておけば、承認者が午後になって電子メールを閲覧し、電子証明書の発行を認証局５０に申請する必要があると判断した場合でも、電子証明書に記載される時刻を電子文書が受信者７０に送信された時刻と概ね同じ時刻とすることができる。
【００９７】
《発明の実施形態２》
本発明の実施形態２は、上記実施形態１の電子認証システムの構成を変更したものである。ここでは、本実施形態について、上記実施形態１と異なる点を説明する。
【００９８】
本実施形態の電子認証システムでは、認証局５０が発行した電子証明書の発行手数料が、認証局５０に電子証明書の発行を申請した者（即ち、画像形成装置１０のユーザ）以外の者にも課金される。
【００９９】
すなわち、図１１（Ａ）に示すように、画像形成装置１０のメモリ１６には、任意のユーザＩＤと任意のユーザＩＤを有する画像形成装置１０のユーザがコピー、プリンタ、スキャナ、或いはファックスの各機能を使用したときに各機能の使用料を課金される対象との関係を示す画像形成用課金テーブルが記憶される。また、図１１（Ｂ）に示すように、画像形成装置１０のメモリ１６には、任意のユーザＩＤと任意のユーザＩＤを有する画像形成装置１０のユーザに対して認証局５０が電子証明書を発行したときに電子証明書の発行手数料が課金される対象との関係を示す証明書発行用課金テーブルが記憶される。また、画像形成装置１０には、画像形成装置１０の各機能の使用料及び電子証明書の発行手数料が課金される対象の数と等しい個数のカウンタ１７が設置される。
【０１００】
このように構成された電子認証システムにおいて、例えば、ユーザＩＤがα０００１である画像形成装置１０のユーザが画像形成装置１０のコピー機能を用いて原稿の画像を１部コピーしたとき、画像形成装置１０の制御部１９において、図１１（Ａ）に示す画像形成用課金テーブルが参照される。そして、画像形成装置１０の制御部１９は、ユーザＩＤがα０００１である画像形成装置１０のユーザがコピー機能を使用したときにコピー機能の使用料を課金される対象がＰ課であることを確認する。続いて、画像形成装置１０の制御部１９がＰ課用に設置されたカウンタ１７に指示を出すことにより、Ｐ課用に設置されたカウンタ１７が１回だけカウントされる。
【０１０１】
また、例えば、ユーザＩＤがα０００１である画像形成装置１０のユーザに対して認証局５０が電子証明書を１部発行したとき、画像形成装置１０の制御部１９において、図１１（Ｂ）に示す証明書発行用課金テーブルが参照される。そして、画像形成装置１０の制御部１９は、ユーザＩＤがα０００１である画像形成装置１０のユーザに対して認証局５０が電子証明書を発行したときに電子証明書の発行手数料を課金される対象がＰ課とＱ課であることを確認する。続いて、画像形成装置１０の制御部１９がＰ課用に設置されたカウンタ１７とＱ課用に設置されたカウンタ１７とに指示を出すことにより、Ｐ課用に設置されたカウンタ１７とＱ課用に設置されたカウンタ１７とが２回ずつカウントされる。
【０１０２】
その後、ディーラ６０は、画像形成装置１０に設置されたＰ課用のカウンタ１７とＱ課用のカウンタ１７の計数値のそれぞれを画像形成装置１０から取得し、Ｐ課とＱ課とに対してカウンタ１７の計数値に応じた料金を請求する。
【０１０３】
また、通常、認証局５０が電子証明書を発行したときに課金される電子証明書の発行手数料の方が、画像形成装置１０のコピー機能を用いて原稿の画像をコピーしたときに課金されるコピー機能の使用料よりも高い。このため、認証局５０が発行した電子証明書を複数の部門が使用するときには、電子証明書の発行を申請した者（即ち、画像形成装置１０のユーザ）が所属する部門だけでなく、認証局５０が発行した電子証明書を使用する部門のすべてに均等に電子証明書の発行手数料を課金することにより、課金対象の管理を容易に行うことができる。
【０１０４】
尚、上記電子認証システムでは、画像形成装置１０のユーザが所属するＰ課とＱ課とに電子証明書の発行手数料を課金することとしたが、これに限らず、課金対象を画像形成装置１０のユーザとしてもよい。すなわち、ユーザＩＤがα０００１である画像形成装置１０のユーザに対して認証局５０が電子証明書を１部発行したとき、電子証明書の発行手数料が例えばユーザＩＤがα０００１である画像形成装置１０のユーザとユーザＩＤがβ０００１である画像形成装置１０のユーザとに均等に課金される。そして、ディーラ６０は、画像形成装置１０に設置されたユーザＩＤがα０００１である画像形成装置１０のユーザ用のカウンタ１７とユーザＩＤがβ０００１である画像形成装置１０のユーザ用のカウンタ１７の計数値のそれぞれを画像形成装置１０から取得し、ユーザＩＤがα０００１である画像形成装置１０のユーザとユーザＩＤがβ０００１である画像形成装置１０のユーザとに対してカウンタ１７の計数値に応じた料金を請求する。
【産業上の利用可能性】
【０１０５】
以上説明したように、本発明は、プリンタ機能、ＦＡＸ機能、或いは、スキャナ機能などを備える画像形成装置及び請求書や領収書などの電子文書に対して電子署名及びタイムスタンプが付属された電子証明書を発行することで電子文書の認証を行う電子認証システムについて有用である。
【図面の簡単な説明】
【０１０６】
【図１】実施形態１に係る電子認証システムの全体構成図である。
【図２】実施形態１に係る電子認証システムにおいて、画像形成装置の構成を示すブロック図である。
【図３】実施形態１に係る電子認証システムにおいて、画像形成装置のメモリに記憶された承認テーブルを示す図である。
【図４】実施形態１に係る電子認証システムにおいて、認証局の構成を示すブロック図である。
【図５】実施形態１に係る電子認証システムにおいて、ディーラが備える課金用サーバの構成を示すブロック図である。
【図６】実施形態１に係る電子認証システムにおいて、電子証明書の発行を認証局に申請するための電子申請書の内容を表す図である。
【図７】実施形態１に係る電子認証システムにおいて、認証局が発行する電子証明書の内容を表す図である。
【図８】実施形態１に係る電子認証システムにおいて、送信者から受信者に送信される電子文書の内容を表す図である。
【図９】実施形態１に係る電子認証システムにおける送信者と受信者と認証局との関係を表す図である。
【図１０】実施形態１に係る電子認証システムの動作を示すシーケンス図である。
【図１１】実施形態２に係る電子認証システムにおいて、画像形成装置のメモリに記憶された画像形成用テーブル及び証明書発行用課金テーブルを示す図である。
【符号の説明】
【０１０７】
１０  画像形成装置
１１  送受信部
１２  画像形成部
１３  操作部
１４  表示部
１５  ユーザ認証部
１６  メモリ
１７  カウンタ
１８  制御部
１９  申請書作成部
２０  データベース
３０  端末装置
４０  送信者
５０  認証局
５１  送受信部
５２  演算部
５３  検証部
５４  証明書作成部
５５  日時計測部
６０  ディーラ
６１  課金用サーバ
６２  送受信部
６３  メモリ
６４  課金部
６５  制御部
７０  受信者
８０  ネットワーク回線網
９０  ＬＡＮ
【図１】
2006261729.tif 000003
【図２】
2006261729.tif 000004
【図３】
2006261729.tif 000005
【図４】
2006261729.tif 000006
【図５】
2006261729.tif 000007
【図６】
2006261729.tif 000008
【図７】
2006261729.tif 000009
【図８】
2006261729.tif 000010
【図９】
2006261729.tif 000011
【図１０】
2006261729.tif 000012
【図１１】
2006261729.tif 000013